(57)【要約】  【課題】  液晶テレビジョンの内部に配置された基板の横方向の高さ位置を簡単に調整でき、基板の複数のモデルに対応できて、その共通化を図れてコストダウンを図れると共に、作業性の改善を図れることができる基板の高さ位置調整構造を提供する。【解決手段】  液晶テレビジョン１の液晶セル３等を保持するための板金フレーム７の奥部の両側に切り起し部８が形成され、切り起し部８に取り付けられる基板１０の横方向の高さを調整するようにした基板の高さ位置調整構造であって、切り起し部８はその中央に水平部８ａを有する略Ｚ字形に形成され、割り基板で形成されたワッシャ９が板金フレーム７の切り起し部８の水平部８ａと基板１０の取り付け部との間に介在されてビス１１で取付固定するように構成され、ワッシャ９により基板１０の横方向の高さを調整するようにした。【選択図】  図１
2009134081.tif 000002
【特許請求の範囲】
【請求項１】
液晶テレビジョンの液晶セル等を保持するための板金フレームの奥部の両側に切り起し部が形成され、前記切り起し部に取り付けられる基板の横方向の高さを調整するようにした基板の高さ位置調整構造であって、前記切り起し部はその中央に水平部を有する略Ｚ字形に形成され、割り基板で形成されたワッシャが前記板金フレームの切り起し部の水平部と前記基板の取り付け部との間に介在されてビスで取付固定するように構成され、前記ワッシャにより前記基板の横方向の高さを調整するようにしたことを特徴とする基板の高さ位置調整構造。
【請求項２】
前記切り起し部は、前記板金フレームの奥部の両端部分に形成されている請求項１に記載の基板の高さ位置調整構造。
【請求項３】
前記切り起し部は、前記板金フレームの奥部の両端より中央側寄りの位置に形成され、前記基板に形成された両側の孔部に前記切り起し部の端部がそれぞれ挿入されている請求項１に記載の基板の高さ位置調整構造。
【発明の詳細な説明】
【技術分野】
【０００１】
本発明は、液晶テレビジョンの液晶セル等を保持するための板金フレームの奥部の両側に切り起し部が形成され、前記切り起し部に取り付けられる基板の横方向の高さを調整するようにした基板の高さ位置調整構造に関するものである。
【背景技術】
【０００２】
従来、液晶テレビジョンの液晶セル等を保持するための板金フレームの奥部の両側に切り起し部が形成され、この切り起し部に基板が取り付けられていた。この基板にはリアパネルに形成された開口から外部に突出するコネクタが実装されていたが、モデルが異なるとリアパネルの開口に、基板に実装したコネクタを外部に突出するために、板金フレームの切り起し部の高さを変えてこの切り起し部に基板を取り付け、この基板に実装されたコネクタをリアフレームの開口から突出させるようにしていた。このように、板金フレームの切り起し部の高さをモデルごとに変えていたので、この板金フレームの切り起し部を形成する金型を複数必要とするために、コスト高になるという問題があった。
【０００３】
第１の従来技術を図３、図４、図５に示す。この従来のプリント配線基板の支持構造は、図３に示すように、プリント配線基板１０１の一側には隅部にＬ字形の切欠き１０２とこれに対向する切欠き１０３とその中間に対向部を連ねる複数の穴１０４等を設け、これによって部分的に切離し可能な略Ｔ字形の脚部材１０５を形成する。一方、プリント配線基板１０１の長手方向に沿った縁部の略中央部には、脚部材１０５の嵌合突部１０６を嵌入するための所要の巾の装着穴１０７を設ける。プリント配線基板１０１をシャーシに取付ける場合、第５図に示す如く脚部材１０５を手で持って曲げると、切欠き１０２、１０３と穴１０４を連ねる線で簡単に切り離すことができ、こののち基板１０１の装着穴１０７に嵌合突部１０６を差込み、予め形成したパターンをもって半田付け等により簡単に固定することができる。かかるプリント配線基板１０１は、第４図に示す如く所要のシャーシ１０９にたいして前縁を取付脚１０８によりねじ止めし、後縁の脚部材１０５をシャーシ１０９の底に当接してこれを支持脚として簡単に固定することができる。（例えば、特許文献１参照）。
【０００４】
ところが、これにおいては、プリント配線基板１０１の高さを調整するものではなかった。
【特許文献１】実開昭５７−１２１１８６号公報
【発明の開示】
【発明が解決しようとする課題】
【０００５】
本発明は、上記従来の問題に鑑みてなされたものであって、液晶テレビジョンの内部に配置された基板の横方向の高さ位置を簡単に調整することができ、基板の複数のモデルに対応することができて、その共通化を図れてコストダウンを図れると共に、作業性の改善を図れることができる基板の高さ位置調整構造を提供することを目的としている。
【課題を解決するための手段】
【０００６】
本発明は、上記課題を解決するために提案されたものであって、請求項１に記載の発明は、液晶テレビジョンの液晶セル等を保持するための板金フレームの奥部の両側に切り起し部が形成され、前記切り起し部に取り付けられる基板の横方向の高さを調整するようにした基板の高さ位置調整構造であって、前記切り起し部はその中央に水平部を有する略Ｚ字形に形成され、割り基板で形成されたワッシャが前記板金フレームの切り起し部の水平部と前記基板の取り付け部との間に介在されてビスで取付固定するように構成され、前記ワッシャにより前記基板の横方向の高さを調整するようにしたことを特徴としている。
【０００７】
請求項２に記載の発明は、請求項１に記載の発明において、前記切り起し部は、前記板金フレームの奥部の両端部分に形成されている。
【０００８】
請求項３に記載の発明は、請求項１に記載の発明において、前記切り起し部は、前記板金フレームの奥部の両端より中央側寄りの位置に形成され、前記基板に形成された両側の孔部に前記切り起し部の端部がそれぞれ挿入されている。
【発明の効果】
【０００９】
請求項１に記載の発明によれば、液晶テレビジョンの液晶セル等を保持するための板金フレームの奥部の両側に形成された切り起し部の略Ｚ字形の中央部の水平部に基板を取付ける際に、切り起し部の水平部と基板の間に割り基板からなるワッシャを介在させるから、基板の横方向の高さ位置を簡単に調整することができ、基板の複数のモデルに対応することができる。そして、その共通化を図ることができてコストダウンを図れると共に、作業性の改善を図ることができる。更に、ワッシャは割り基板で形成されているから、より一層コストダウンを図ることができる。
【００１０】
請求項２に記載の発明によれば、切り起し部が、板金フレームの奥部の両側部分に形成されているから、基板の端部が略Ｚ字形の切り起し部の先端部の垂直部分に当接することにより、基板をこの切り起し部の水平部に取り付け易く、取り付け作業を簡単に行うことができる。
【００１１】
請求項３に記載の発明によれば、切り起し部が、板金フレームの奥部の両端より中央側寄りの位置に形成され、基板に形成された両側の孔部に切り起し部の端部が挿入されているから、基板の位置決めを容易に行なうことができ、基板がずれることを防ぐことができる。
【発明を実施するための最良の形態】
【００１２】
以下、本発明に係る基板の高さ位置調整構造の実施の形態について、図を参照しつつ説明する。
【００１３】
図１は本発明の第１実施形態の基板の高さ位置調整構造を示し、（ａ）は基板の高さ位置調整構造が設けられた液晶テレビジョンの内部構造を示す断面図、（ｂ）はそのワッシャが設けられた基板の平面図、（ｃ）は板金フレームの切り起し部の水平部にワッシャが配置されて基板が取り付けられる状態を示す部分拡大斜視図である。
【００１４】
この第１実施形態の基板の高さ位置調整構造は、液晶テレビジョン１のフロントパネル２側に液晶セル３、光学シート４、複数の光源５や反射シート６が内部に保持された板金フレーム７の奥側の両端部に中央に水平部８ａを有する略Ｚ字形の切り起し部８が設けられて、この水平部８ａに後述する割り基板からなるワッシャ９が配置され、その奥側に基板１０が配置されて、この基板１０が割り基板からなるワッシャ９を介して切り起し部８にビス１１で取り付け固定されている〔図１（ｃ）参照〕。この基板１０の端部にはコネクタ１２が実装され、このコネクタ１２はリアパネル１３の開口１３から外側に突出している。割り基板からなるワッシャ９は、図１（ｂ）に示すように、基板１０の端部に形成されていて、使用時に基板１０の本体部から切り離されるようになっている。割り基板からなるワッシャ９は基板１０の横方向の高さ位置を調整するために、切り起し部８の水平部８ａと基板１０との間に介在されている。このように、割り基板からなるワッシャ９は、リアパネル１３の開口１３ａの位置とコネクタ１２の位置が合うように基板１０と切り起し部８の水平部８ａとの間に介在されて、基板１０の横方向の高さを調整するために使用されているものである。
【００１５】
従って、この第１実施形態によれば、液晶テレビジョン１の液晶セル３等を保持するための板金フレーム７の奥部の両側に形成された切り起し部８の略Ｚ字形の中央部の水平部８ａに基板１０を取付ける際に、切り起し部８の水平部８ａと基板１０の間に割り基板からなるワッシャ９を介在させるから、基板１０の横方向の高さ位置を簡単に調整することができ、基板１０の複数のモデルに対応することができる。そして、その共通化を図ることができてコストダウンを図れると共に、作業性の改善を図ることができる。更に、ワッシャ９は割り基板で形成されているから、より一層コストダウンを図ることができる。更に、切り起し部８が、板金フレーム７の奥部の両側部分に形成されているから、基板１０の端部が略Ｚ字形の切り起し部８の先端部の垂直部分に当接することにより、基板１０をこの切り起し部８の水平部８ａに取り付け易く、取り付け作業を簡単に行うことができる。
【００１６】
図２は第２実施形態の基板の高さ位置調整構造の要部を示す断面図である
この第２実施形態の基板の高さ位置調整構造は、図２に示すように、板金フレーム７の奥部の両端より中央側寄りの位置に切り起し部８Ａが形成され、基板１０に形成された両側の孔部１０ａに切り起し部８Ａの端部８ｂがそれぞれ挿入されている。従って、この第２実施形態によれば、切り起し部８Ａが、板金フレーム７の奥部の両端より中央側寄りの位置に形成され、基板１０に形成された両側の孔部１０ａに切り起し部８Ａの端部８ｂが挿入されているから、基板１０の位置決めを容易に行なうことができ、基板１０がずれることを防ぐことができる。
【図面の簡単な説明】
【００１７】
【図１】本発明の第１実施形態の基板の高さ位置調整構造を示し、（ａ）は基板の高さ位置調整構造が設けられた液晶テレビジョンの内部構造を示す断面図、（ｂ）はそのワッシャが設けられた基板の平面図、（ｃ）は板金フレームの切り起し部の水平部にワッシャが配置されて基板が取り付けられる状態を示す部分拡大斜視図である。
【図２】第２実施形態の基板の高さ位置調整構造の要部を示す断面図である
【図３】従来のプリント配線基板の支持構造におけるプリント配線基板の平面図である。
【図４】同構造のシャーシ取り付け状態の部分切欠側面図である。
【図５】同構造のプリント配線基板から脚部材を切り離す状態を示す説明図である。
【符号の説明】
【００１８】
１        液晶テレビジョン
２        フロントパネル
３        液晶セル
４        光学シート
５        光源
６        反射シート
７        板金フレーム
８        切り起し部
８Ａ      切り起し部
８ａ      水平部
８ｂ      端部
９        割り基板からなるワッシャ
１０      基板
１０ａ    孔部
１１      ビス
１２      コネクタ
１３      リアパネル
１３ａ    開口
【図１】
2009134081.tif 000003
【図２】
2009134081.tif 000004
【図３】
2009134081.tif 000005
【図４】
2009134081.tif 000006
【図５】
2009134081.tif 000007